(57)【特許請求の範囲】
【請求項１】
センターキャリアローラと、その両側に外側に向かって高くなるように傾斜配置されたサイドキャリアローラと、これらのキャリアローラを回転自在に支持するサポートと、これらのサポートを立設する上部支持梁と、この上部支持梁を載置し、ベルト幅方向に保持された下部支持梁とを備えたベルトコンベアのキャリアローラスタンドにおいて、上部支持梁をベルト幅方向に二分割し、下部支持梁のベルト幅方向の一端部に前記分割された一方の上部支持梁のベルト幅端側の端部を、垂直軸周りに回動して当該一方の上部支持梁がベルト幅方向と角度９０°〜１２０°の範囲をなすように回動可能に連結するとともに、前記下部支持梁のベルト幅方向の他端部に前記分割された他方の上部支持梁のベルト幅端側の端部を、垂直軸周りに回動して当該他方の上部支持梁がベルト幅方向と角度９０°〜１２０°の範囲をなすように回動可能に連結し、さらに、前記各上部支持梁を前記下部支持梁にベルトコンベア運転中は回動不能に固定する固定装置を設けたことを特徴とするベルトコンベアのキャリアローラスタンド。
【請求項２】
前記センターキャリアローラと前記サイドキャリアローラとの総数が５個以上であることを特徴とする請求項１記載のベルトコンベアのキャリアローラスタンド。
【発明の詳細な説明】
【０００１】
【発明の属する技術分野】
本発明は、鉱石、石炭等の嵩物を搬送するベルトコンベアのキャリアローラスタンドに関し、特に広幅ベルトコンベア用に適用されるものである。
【０００２】
【従来の技術】
従来のキャリアローラスタンドは、図４に示すように、搬送用ベルト１ａの両側上方にシュート２とスカート３を配置するとともに、前記ベルト１ａの下方には搬送荷重を支持し、ベルトの形状を保持するためのセンターキャリアローラ４及びサイドキャリアローラ５ａ，５ｂを、支持梁８に取り付けたサポート６，７に回転自在に支持し、そして前記支持梁８を所定高さ位置に保持するコンベアフレーム９には、リターン側の搬送用ベルト１ｂを保持するリターンローラ１０を支持させた構成である。
【０００３】
上記構成のキャリアローラスタンドにおいて、センターキャリアローラ４やサイドキャリアローラ５ａ，５ｂが磨耗したり、破損したりして取り替える場合には、従来は先ずベルトコンベアを停止してスカート３を外した後、ジャッキ、バール、チエンブロック等を用いてベルト１ａを押し上げ、サイドキャリアローラ５ａ又は５ｂとの隙間を広げてサイドキャリアローラ５ａ又は５ｂを取り外す。次に同様にしてベルト１ａとセンターキャリアローラ４との隙間を広げた後、ベルト１ｂと支持梁８との間の狭い空間に作業者がもぐり込んで、センターキャリアローラ４の取り替えを行っていた。
【０００４】
しかしながら、上記のような作業は、（１）センターキャリアローラやサイドキャリアローラとベルトとの間に隙間をつくる時、設備に対して負荷をかけるので、設備を損傷する恐れがある。（２）センターキャリアローラの取り替えは、狭い場所での作業となり、作業者の姿勢が極端に制約されるので、作業者の姿勢が不安定になり、特にベルトコンベアの設置位置が高所の場合には、落下等の危険が伴い、危険度が増大する。（３）上記の作業は長時間に及ぶので、ベルトコンベアの停止時間が長くなり、コンベアの稼働率の低下を招く。という問題がある。
【０００５】
そこで特開平９−１８８４１２号でセンターキャリアローラやサイドキャリアローラの取り替えを容易に行えるものが提案されている。図５に示すように、キャリアビーム（支持梁）８をキャリアフレーム１１とスライドフレーム１２で構成し、キャリアフレーム１１は山型状をなし、スライドフレーム１２は、長手方向に二分割（１２ａ，１２ｂ）され、キャリアフレーム１１上に、摺動及び所定位置での固定可能にしたものである。
【０００６】
【発明が解決しようとする課題】
上記提案されたものは、図５に示すとおり、スライドフレーム１２を二分割し、ベルト幅方向にキャリアフレーム１１上を摺動させて引き出して、キャリアローラ４，５を取り替えるものであり、センターキャリアローラ４やサイドキャリアローラ５ａ，５ｂの取り替えは容易に行えるようになったものの、いまだ次のような問題を有している。コンベアベルトの側面に、建物の壁面や屋外用の防風板、防雨板が存在する場合、あるいは設備機器が近辺に有る場合には、コンベアベルト外側に幅方向のスペースが無く、キャリアローラ４，５のサポート６，７を含むスライドフレーム１２ａ，１２ｂをそれぞれベルト幅方向の外側へ引き出して、キャリアローラ４，５を取り替えるにも、そのスペースが無い場合がある。そのときにはベルト下部の狭いスペースに、取替作業のために入る必要があり、作業負荷が大きく、しかも危険が伴う作業であり、しかもコンベアベルトを長時間停止させなければならなかった問題があった。特にキャリアローラが５個並ぶ広幅コンベアベルトにおいては、キャリアスタンドの全長が１．５ｍ以上にもなり、この問題の影響が大きかった。
【０００７】
本発明は、上記の問題点を改善するためになしたものであって、その目的は、ベルト幅が大きく、キャリアローラ数が多くなっても、それらのキャリアローラの取り替えを容易かつ迅速に行ないうるベルトコンベアのキャリアローラスタンドを提供するものである。
【０００８】
【課題を解決するための手段】
請求項１の発明は、センターキャリアローラと、その両側に外側に向かって高くなるように傾斜配置されたサイドキャリアローラと、これらのキャリアローラを回転自在に支持するサポートと、これらのサポートを立設する上部支持梁と、この上部支持梁を載置し、ベルト幅方向に保持された下部支持梁とを備えたベルトコンベアのキャリアローラスタンドにおいて、上部支持梁をベルト幅方向に二分割し、下部支持梁のベルト幅方向の一端部に前記分割された一方の上部支持梁のベルト幅端側の端部を、垂直軸周りに回動して当該一方の上部支持梁がベルト幅方向と角度９０°〜１２０°の範囲をなすように回動可能に連結するとともに、前記下部支持梁のベルト幅方向の他端部に前記分割された他方の上部支持梁のベルト幅端側の端部を、垂直軸周りに回動して当該他方の上部支持梁がベルト幅方向と角度９０°〜１２０°の範囲をなすように回動可能に連結し、さらに、前記各上部支持梁を前記下部支持梁にベルトコンベア運転中は回動不能に固定する固定装置を設けたことを特徴とするベルトコンベアのキャリアローラスタンドである。請求項２の発明は、請求項１記載のベルトコンベアのキャリアローラスタンドにおいて、前記センターキャリアローラと前記サイドキャリアローラとの総数が５個以上であることを特徴とするものである。
【０００９】
【発明の実施の形態】
本発明のベルトコンベアのキャリアローラスタンドは、センターキャリアローラと、その両側に外側に向かって高くなるように傾斜配置されたサイドキャリアローラと、これらのキャリアローラを回転自在に支持するサポートと、これらのサポートを立設する上部支持梁と、この上部支持梁を載置した下部支持梁で構成したものである。そして上部支持梁がベルト幅方向に二分割されており、即ちキャリアローラ３個のキャリアスタンドであれば、一方の上部支持梁はキャリアローラ２個を支持するサポートが立設されたものとされ、他方の上部支持梁はキャリアローラ１個を支持するサポートが立設されたものとされる。また、キャリアローラが５個であれば、一方の上部支持梁はキャリアローラ３個を支持するサポートが立設されたものとされ、他方の部支持梁はキャリアローラ２個を支持するサポートが立設されたものとされる。そして、一方の上部支持梁は、そのベルト幅端側の端部が下部支持梁のベルト幅方向の一端部に該ベルト幅端側の端部を中心にベルト外側へ回動可能に連結され、他方の上部支持梁は、そのベルト幅端側の端部が下部支持梁のベルト幅方向の他端部に該ベルト幅端側の端部を中心にベルト外側へ回動可能に連結されている。
【００１０】
コンベアベルトの運転時は、上部支持梁は下部支持梁と重なった位置にあり、固定装置により確実に固定されて、ベルトの載荷重やローラの回転による振動等の荷重を確実に下部支持梁で負担する。一方キャリアローラを取り替える際は、上部支持梁と下部支持梁との固定装置を解放し、下部支持梁に対して上部支持梁をコンベアベルト側面側へ回動することにより、ベルト下面とキャリアローラ上面に隙間を作り、キャリアローラを上方へ持ち上げ、取り出して新しいキャリアローラと入れ換える。各上部支持梁が下部支持梁に回動可能に連結される位置は、ベルトとキャリアローラの隙間が回動する角度に対して大きく取れる位置が望ましく、この意味で上部支持梁のベルト幅端側の端部が良い。回動により上部支持梁がベルト幅方向となす角度は、９０°を超えるとコンベアベルト側面側のスペースで規制されるが、概ね７０〜１２０°の範囲まで回動可能であればキャリアローラの取り替えが容易となり、運転中に取り替え作業を安全にするためには９０°以上が望ましい。
【００１１】
二分割された上部支持梁と下部支持梁との固定装置は前述のように上部支持梁が下部支持梁に対して重なり合うように固定する必要がある。上部支持梁と下部支持梁とが連結箇所で繋がっておるので、もう一か所を固定すると、例えば上部支持梁の回動を下部支持梁で拘束するために、梁端面をコッタまたは掛け金で止めるとか、二分割された上部支持梁同士を回動不能にコッタまたは掛け金等で行って上部支持梁を下部支持梁に重合固定する。
【００１２】
上記のキャリアスタンドはキャリアローラが５個以上からなる広幅コンベアベルトに対しキャリアローラの取り替えがより容易になる。
【００１５】
【実施例】
以下、本発明のベルトコンベヤのキャリアローラスタンドで５個のキャリアローラの場合の実施例につき図１から図３に基いて説明する。本ベルトコンベアはベルト幅１２００mmで、キャリアローラ５個組で、２６０mm長さのサイドキャリアローラ各２個と２１０mm長さのセンターキャリアローラ１個から成る。ベルトのトラフ角度は通常用いられる４５°である。キャリアスタンドのベルト幅方向の全体の長さは１５１０mmであり、その間隔はベルト長さ方向に対し通常１m であり、ベルトの給荷部では３００〜４００mmである。
【００１６】
図１、２に示すベルトコンベヤのキャリアローラスタンドは本発明の請求項１、２に対応する実施例である。図１はキャリアローラスタンドの斜視図を示し、支持梁が、二分割された上部支持梁８ａ，８ｂと下部支持梁１３で構成され、二分割された一方の上部支持梁８ｂを含むキャリアローラスタンド８Ｂが９０°回動した状態を表す。一方のキャリアローラスタンド８Ｂは、キャリアローラ１４ｃ〜１４ｅの３個組と、これらのキャリアローラ１４ｃ〜１４ｅを回転自在に支持するサポート７ｃ〜７ｅ，６ｂと、サポート７ｃ〜７ｅ，６ｂが立設された一方の上部支持梁８ｂとにより構成されている。他方のキャリアローラスタンド８Ａは、キャリアローラ１４ａ，１４ｂの２個組と、これらのキャリアローラ１４ａ，１４ｂを回転自在に支持するサポート６ａ，７ａ，７ｂと、サポート６ａ，７ａ，７ｂが立設された他方の上部支持梁８ａとにより構成されている。そして、一方のキャリアローラスタンド８Ｂは下部支持梁１３上に載置されるとともに、下部支持梁１３のベルト幅方向の一端部に上部支持梁８ｂのベルト幅端側の端部が回動可能な軸受けセット１５ｂにより連結されており、これにより、キャリアローラスタンド８Ｂがその上部支持梁８ｂのベルト幅端側の端部を中心にベルト側面側へ回動してベルト幅方向と角度９０°〜１２０°の範囲をなしうるように回動される。また、他方のキャリアローラスタンド８Ａは下部支持梁１３上に載置されるとともに、下部支持梁１３のベルト幅方向の他端部に上部支持梁８ａのベルト幅端側の端部が回動可能な軸受けセット１５ａにより連結されており、これにより、キャリアローラスタンド８Ａがその上部支持梁８ａのベルト幅端側の端部を中心にベルト側面側へ回動してベルト幅方向と角度９０°〜１２０°の範囲をなしうるように回動される。軸受けセット１５ａ，１５ｂは、下部支持梁（チャンネル鋼）１３と上部支持梁（平鋼）８ａ，８ｂにそれぞれ孔を穿孔し、軸、ブッシュ、座金、ナットで通常構成される公知の軸受けである。
【００１７】
ベルトコンベアの運転中は上部支持梁８ａ，８ｂがコンベアベルト運行方向に回動しないように、それぞれ下部支持梁１３から立設している留め金１６ａ，１６ｂに当接している手段を取り、もう一つの手段は上部支持梁８ａ，８ｂが下部支持梁１３に対し回動不能に２個のコッタ留め金１７ｂにコッタ１７ａを強固に挿入して、上部支持梁８ａ，８ｂ同士を一直線状に下部支持梁１３に対して重なり合うように固定している。コッタ留め金１７ｂは上部支持梁８ａの側面に２個溶接し、コッタ１７ａをそれに挿入して、そのテーパ面と反対の面で上部支持梁８ｂを回動不能に抑えている例であるが、別の例でコッタ留め金１７ｂを上部支持梁８ａ，８ｂにそれぞれ１個ずつ取り付け、コッタ１７ａで挿入、固定して同じ機能を発揮できるものである。
【００１８】
キャリアローラ１４ａ〜１４ｅを取り替える場合には、当該キャリアスタンドの上部支持梁８ａ，８ｂ同士を固定しているコッタ１７ａを解縛して回動可能にし、それぞれのコッタ留め金１７ｂと把手１８を図示しない引っ掛け棒により、ベルト運行の反対方向でキャリアローラ１４ａ〜１４ｅの取り替え容易な位置に回動、固定して、キャリアローラ１４ａ〜１４ｅの取り替え作業を行う。図１のキャリアローラ３個のキャリアスタンド８Ｂの実線がその状態を表している。
【００１９】
図３は参考例を示すベルトコンベアのキャリアローラスタンドの斜視図で、コンベアベルトの諸元は前述の通りである。上部にサイドキャリアローラ２個１４ａ，１４ｂのサポート６ａ, ７ａ，７ｂが立設しているスライドフレーム１９ａはＩ型状の下部支持梁２０の上部のフランジ面を抱き抱えてベルト幅方向に摺動できるよう断面ロ形状の下に切り欠きのある構成である。スライドフレーム１９ａを摺動するために把手２１が設けられ、そして摺動の固定装置としてスライドフレーム１９ａと下部支持梁２０を貫通するボルトまたはピン止め構造が用いられる。
【００２０】
一方の回動する側のキャリアスタンドはセンターキャリアローラ１４ｃとサイドキャリアローラ１４ｄ, １４ｅのサポート７ｃ〜７ｅ，６ｂが立設している平板状の上部支持梁２２とそれが回動するためにスライドフレーム１９ｂの上面で軸支２３されており、かつスライドフレーム１９ｂは下部支持梁２０に対しベルト幅方向に摺動可能に、スライドフレーム１９ａと同じ断面構造をとる構成になっている。
【００２１】
このスライドフレーム１９ａ上のキャリアローラ１４ａ，１４ｂを取り替える場合には摺動固定ボルト２４を解放し、スライドフレーム１９ａを把手２１によりキャリアローラ１４ａ，１４ｂがベルト下面から十分な間隔を取るためにベルト幅方向の外側へ摺動させ引き出す。ついで目的とするキャリアロー ラ１４ａ，１４ｂを取り替える。この場合スライドフレー ム１９ａの全長の約半分の長さを引き出せば、安全に確実に取り替え作業を行いうる。
【００２２】
一方の回動する側のキャリアスタンドからキャリアローラ１４ｃ〜１４ｅを取り替える場合は先ず上部支持梁２２の端部の留めボルト２５を解放し、次いで奥の把手２６を引っかき棒（図示せず）にて上部支持梁２２をベルト方向と同方向にほぼ９０°回動させつつ、手前の把手２６も使ってスライドフレーム１９ｂをベルト幅方向外側へ留め金２７に当たるまで引き出す。この時点でキャリアローラ１４ｃ〜１４ｅはベルト下面と十分な間隔が取れ、かつベルトとも離反するので安全で、確実にキャリアローラ１４ｃ〜１４ｅの取り替え作業を行うことができる。
【００２３】
【発明の効果】
本発明によるキャリアローラスタンドであれば、コンベアベルトの側面側に十分に広いスペースが無くても、ベルト幅方向に二分割されて、キャリアローラを回転自在に支持するサポートが立設された各上部支持梁を、該各上部支持梁がベルト幅方向と角度９０°〜１２０°の範囲をなすように回動することにより休止中は基より運転中でも安全に、確実にキャリアローラの取り替え作業ができる。特にキャリアローラ５個組以上の広幅ベルトコンベアに好適である。したがって、本発明によるキャリアローラスタンドによると、ベルトコンベア設備のキャリアローラ取り替えのための休止が不要で設備稼働率を高めうる。また取り替え作業においてコンベアベルト設備に損傷をもたらさない。
【図面の簡単な説明】
【図１】本発明に係るベルトコンベヤのキャリアローラスタンドの斜視図である。
【図２】図１のＸ−Ｘ断面図である。
【図３】参考例を示すベルトコンベアのキャリアローラスタンドの斜視図である。
【図４】従来のベルトコンベヤのキャリアローラスタンドの説明図である。
【図５】従来の別のベルトコンベヤのキャリアローラスタンドの説明図である。
【符号の説明】
６ａ，７ａ〜７ｅ，６ｂ：サポート    ８：支持梁
８ａ，８ｂ：上部支持梁              ８Ａ，８Ｂ：キャリアローラスタンド
１３：下部支持梁                    １４ａ〜１４ｅ：キャリアローラ
１５ａ，１５ｂ：軸受けセット        １６ａ，１６ｂ：留め金
１７ａ：コッタ                      １７ｂ：コッタ留め金
１８：把手                          １９ａ，１９ｂ：スライドフレーム
２０：下部支持梁                    ２１：把手
２２：上部支持梁                    ２３：軸支部
２４：摺動固定ボルト                ２５：留めボルト
２６：把手                          ２７：留め金
【図１】
0003776648.tif 000002
【図２】
0003776648.tif 000003
【図３】
0003776648.tif 000004
【図４】
0003776648.tif 000005
【図５】
0003776648.tif 000006